(57)【特許請求の範囲】
【請求項１】
踵骨骨折の治療に使用する骨表面の物理的形状に適合したボーンプレートであって、
一端から他端まで延在し、他端側の１/３の長さ部分が残りの部分に対して湾曲した長手方向部分(10)と、
長手方向部分(10)の一端から両側に突出した横断方向部分(11)と、
長手方向部分(10)の他端から片側に突出した第１突出部分(15)と、
長手方向部分(10)の他端から上記一端側へとオフセットした位置において上記片側とは反対側へ突出する第２突出部分(14)と、を備えていて、
上記第１突出部分(15)、第２突出部分(14)、および長手方向部分(10)は、長手方向部分(10)の長手軸回りに湾曲し、
少なくとも横断方向部分(11)または第２突出部(14)に、圧縮スクリュー開口を備えていることを特徴とする、ボーンプレート。
【請求項２】
横断方向部分(11)の両端に、互いに近づく方向成分を有して圧縮スクリュー開口(6)が形成されていることを特徴とする、請求項１記載のボーンプレート。
【請求項３】
第２突出部分(14)に、長手方向部分(10)に向かう方向成分を有する圧縮スクリュー開口(6)が形成されていることを特徴とする、請求項１記載のボーンプレート。
【請求項４】
第１突出部分(15)に、スクリュー開口(16)が形成されていることを特徴とする、請求項１記載のボーンプレート。
【発明の詳細な説明】
本発明は、踵骨骨折の治療に使用するボーンプレートに関する。
踵骨は、その湾曲した表面の複雑な物理的形状のため、骨折の後において表面形状を正確に復元することが困難である。困難な問題は比較的一般的である
0003778215.tif 000002
元の位置に復元された骨折片を安定させるために、主として、Ｈ字型およびＴ字型のプレートが使用される。これらのプレートは平坦であって、場合によっては、踵骨の湾曲形状に適合するような湾曲形状とされている(FR-A-2622431)。これは、手先がかなり器用であることを要求するだけでなく、骨折した骨の表面形状を正確に示す写真を手術医が所持していることが必要となる。しかしながら、粉砕骨片が存在するためそのような正確な写真を撮ることは困難である。さらに、Ｈ字形状やＴ字形状の利用できる表面形状は、多くの場合、骨折パターンには適合しない。輪郭および物理的形状の不適切なプレートを選択すると、好ましくない結果を招くが、これに対する配慮は払われない。骨折部分の隙間が大きくて、治療が十分でないということも起こり得る。
本発明は、上記の不利益を最小限に抑えることをその目的とする。本発明においては、踵骨骨折を治療するボーンプレートが、踵骨表面の物理的形状に適合するものであって圧縮スクリュー開口を備えているという事実によって、それが達成される。
踵骨表面の物理的形状に適合するのは、主として、踵骨粗面(calcaneal tuberosity)と前突起(anterior process)との間における側面形状に関連する。しかしながら、踵骨粗面の中央突起(medial process)と載距突起(sustentaculumtali)との間の中央面もまた関連している。プレート形状が踵骨の平均的な表面形状に適合するので、各骨の形状が平均的な形状からずれていても、ボーンプレートの形状に起因して、骨折した骨の位置の復元が不適切になるのを排除できる。さらに、極端な場合には、手術医が簡単にプレートを僅かに変形させることができる。手術医が行う修正は形状の僅かな変更に限られているので、形状合わせに失敗する危険もない。多数のスクリュー開口による圧縮効果により、各骨折片は互いに隙間無く引き合わせられる。このこと自体は知られている(DE-U-9217769)。
踵骨の骨折片は非常に多様であるが(ZWIPP、loc. cit. )、ある代表的なパターンが顕著である。本発明は、一般的な骨折パターンの大部分のものに適したボーンプレートを提供する。第１具体例は、長手方向部分と、長手方向部分のほぼ中央に連結された横断方向部分と、を有するＴ字型のものである。長手方向部分は、踵骨粗面と前突起との間の面の拡がりにほぼ対応する長さを有している。長手方向部分は、横断方向部分に対してオフセットされたアーチ部を備える。アーチ部は、埋め込まれたとき、横断方向部分の前方に位置し、腓骨平滑面のためのスペースを与える。２つの端部開口のうち少なくとも１つが圧縮スクリュー開口として設計されているので有利である。このプレートは、背面側滑面骨折片(posterior facet fragment)を塊茎状部分(tuberous)または支柱骨折片(sustentacular main fragment)に凍結させる治療に極めて適している(専門用語については、ZWIPP、loc. cit. 第238頁を参照)。圧縮スクリュー開口が互いに向かいあっていると、各骨折片が互いに引き合う。
この横方向に配置されたプレートを、中央に配置したプレートによって補足し、Ｈ字形状に近い形にすることができる。この場合には、骨中央の凹状面に配置することができる。このプレートは、踵骨粗面の中央突起と載距突起との間に配置され、縦軸周りに30〜50°(好ましくは35〜45°)だけ捩られる。自然な傾斜を呈する踵骨上において、このプレートはほぼ平行に、または後端に向かってやや上向きに配置される。その２つの端部は、それぞれ、一対の圧縮スクリュー開口を有する。各開口は、互いに近づき、かつプレート中央に向かって斜めに延びる締付方向に向けられている。
本発明のボーンプレートの他の具体例は、横方向に配置され、いわゆる舌状骨折(tongue fracture)に特に適している。この具体例は、ほぼ中央が湾曲した長手方向部分と、長手方向部分の後端から両側に突出した横断方向部分と、長手方向部分の前端から下方に突出した第１突出部分と、この他端近傍から頭上側に突出し第１突出部分からオフセットして形成された第２突出部分と、を備える。これら２つの突出部分(適切な場合には長手方向部分も含めて)は、長手方向部分と平行に延びる軸の周りに互いに捩られ、または湾曲されており、これにより、その間に存在する長手方向部分は湾曲し、とくに第１突出部分は内側に下降する。舌状骨折においては、長手方向部分の後端部に配置された横断方向部分は、背面側滑面骨折片と、その下方に存在する塊茎状骨折片とを互いに引き合わせるのに適している。第１突出部分は、前突起を保持するために踵骨のネック部周囲をグリップすることができる。一方、背面側滑面下方に位置する第２突出部分は、背面側滑面骨折片またはこの位置にある他の骨折片を位置決めする。
この場合においても、中央側において、上述のほぼＨ型形状のプレートを使用することが有益である。
具体例を示す添付の図面を参照して、以下に本発明をさらに詳細に説明する。
図１は、ほぼ自然な姿勢にある踵骨を示す側面図である。本発明の第１具体例に係るボーンプレートが取り付けられている。
図２は、図１のボーンプレートを矢印II方向から見た図である。
図３は、本発明の第２具体例に係るボーンプレートが取り付けられた踵骨を示す図である。
図４および図５は、図３のボーンプレートをそれぞれ矢印IVおよびＶの方向から見た図である。
図６は、本発明の第３具体例に係るボーンプレートが取り付けられた踵骨を示す図である。
図７は、図６のボーンプレートを矢印VIIの方向から見た図である。
図１および図２に示した第１具体例のボーンプレートは、Ｔ字型プレートである。このボーンプレートは、図１に破線で示したような、塊茎状骨折片１と、背面側滑面骨折片２と、支柱骨折片３との間における骨折に適用される。特に背面側滑面骨折片２は、さらに別の骨折片または挫傷を伴うことがある。
このボーンプレートは、長手方向部分４および横断方向部分５で構成される。長手方向部分４は、その後端を踵骨粗面の側面に、その前端をネックまたは前突起の側面に、それぞれ位置させた状態で取り付けられている。横断片の端部は、踵骨後方の関節面端縁から僅かに距離をおいたところに位置する。ボーンプレートの端部には、締付方向が中央に向いた圧縮スクリュー開口６が形成されている。プレートの中央領域に２つの開口７を設けてもよい。
図２から分かるように、長手方向部分４は、アーチ部８を有している。アーチ部８の中央は、横断方向部分５つまりその中央よりもやや前方側に位置している。これに対して、横断方向部分５の端部は、長手方向部分４の端部とほぼ同一平面内に位置している。前突起の側面中央が下方領域に向けて後退することを考慮して、長手方向部分４の前端を僅かに湾曲させたり、後端に対して捩れさせてもよい。
図３の第２具体例は、長手方向部分10と、その後端部に設けられた横断方向部分11とを備えており、Ｔ字型に近い形状である。横断方向部分11は、長手方向部分10から上下に突出しており、各部に圧縮スクリュー開口６が形成されている。２つの圧縮スクリュー開口６は、互いに向かい合う方向に形成されており、上方に位置する背面側滑面骨折片12を下方側の塊茎状骨折片に連結し、これらの骨折片を引き合わせる。長手方向部分10の前端付近には、上方に突出する突出部分14が形成されている。この突出部分14には、圧縮スクリュー開口６が形成されており、同様に背面側滑面骨折片と係合する。突出部分14の中心は、長手方向部分10からの距離が１〜２cmであることが好ましい。長手方向部分10の前端には、下方に突出する突出部分15が形成されている。突出部分15に形成されたスクリュー開口16は、前突起を固定するのに使用される。長手方向部分10の長さ方向に沿って、さらに別のスクリュー開口を形成してもよい。
上方突出部分14に形成された圧縮スクリュー開口６は、下方に向かうとともにやや前方側に向けられている。
長手方向部分10は、前方側の１/３においてその中央部分が外側に向かって湾曲している。さらに、上下の突出部分14、15は、その長手方向に平行に延びる軸の周りに外側に湾曲しており、下方突出部分15の方が踵骨のネック部周りにより良く適合する。さらに各突出部分は、図５に示すように、後方側の横断方向部分11に対して僅かに捩れている。
かなり短い突出部分を備えたこのボーンプレートの利点は以下のごときである。すなわち、これらの突出部分は関節部分(例えば距骨)近傍に向かう方向に向けられているが、その長さが短いために、その関節内に危険なほどの長さで突出することはない。
本発明の第３具体例のプレート18は、図６および７に示したように、Ｈ字型または、両端がやや拡がったエクレアのような形状である。これらの両端には、それぞれ、一対の圧縮スクリュー開口６が形成されている。各対を構成する圧縮スクリュー開口６は、互いに向き合うとともにプレート中央に向かって傾斜している。プレートの拡がった２つの端部は、図７に示したように、互いにほぼ40°捩れている。したがって、このプレートは、親指のための長い屈筋の溝に対して平行にされる必要はなく、ほとんど平行または後方に向かってやや上向きに配置することができる。
【図１】
0003778215.tif 000003
【図２】
0003778215.tif 000004
【図３】
0003778215.tif 000005
【図４】
0003778215.tif 000006
【図５】
0003778215.tif 000007
【図６】
0003778215.tif 000008
【図７】
0003778215.tif 000009